(57)【要約】【課題】レジストローラ表面に付着した紙粉を確実に回収可能な紙粉除去装置を提供すること。【解決手段】画像形成部２に用紙を搬送するレジストローラ１１ｂを有する画像形成装置に備えられ、レジストローラ１１ｂに付着した紙粉Ｐを除去する紙粉除去装置Ｅであって、レジストローラ１１ｂ表面に臨む開口部５１を有する紙粉回収ケース４４と、開口部５１のレジストローラ１１ｂ回転方向の下流側端部４４ａに設けられ、レジストローラ１１ｂ表面と当接するクリーニングブレード４２と、開口部５１のレジストローラ１１ｂ回転方向の上流側端部４４ｂに設けられ、レジストローラ表面１１ｂとの間に前記紙粉と接触しない所定の間隔ｔを有するシールド部材４５と、を備えることを特徴とする。【選択図】      図２
2004323144.tif 000002
【特許請求の範囲】
【請求項１】
画像形成部に用紙を搬送するレジストローラを有する画像形成装置に備えられ、前記レジストローラに付着した紙粉を除去する紙粉除去装置であって、
前記レジストローラ表面に臨む開口部を有する紙粉回収ケースと、
前記開口部の前記レジストローラ回転方向の下流側端部に設けられ、前記レジストローラ表面と当接するクリーニングブレードと、
前記開口部の前記レジストローラ回転方向の上流側端部に設けられ、前記レジストローラ表面との間に前記紙粉と接触しない所定の間隔を有するシールド部材と、
を備えることを特徴とする紙粉除去装置。
【請求項２】
前記シールド部材と前記レジストローラ表面との間の所定の間隔が、０．１〜０．３ｍｍであることを特徴とする請求項１記載の紙粉除去装置。
【請求項３】
前記画像形成装置は、用紙搬送路に沿って前記レジストローラに前記用紙を案内するとともに、前記用紙を搬送する通常状態と前記用紙搬送路を開放する開放状態との間で前記レジストローラの回転軸に揺動可能に軸支されたガイド部材を更に備え、
前記ガイド部材に前記紙粉回収ケースが設置されていることを特徴とする請求項１又は２に記載の紙粉除去装置。
【請求項４】
前記紙粉回収ケースは、前記開口部より奥側に紙粉蓄積部を有し、
前記紙粉蓄積部は、前記開口部のレジストローラ回転方向の下流側端部から内向きに延出する紙粉逆流防止部材により前記開口部側と画成されており、
前記紙粉逆流防止部材の先端と前記紙粉回収ケースの内壁面の対向面との間には所定の間隙が設けられていることを特徴とする請求項１〜３の何れか１項に記載の紙粉除去装置。
【請求項５】
前記紙粉逆流防止部材に前記所定の間隙を開閉するシート状の逆止弁が設けられていることを特徴とする請求項４に記載の紙粉除去装置。
【請求項６】
前記紙粉回収ケースは、前記画像形成装置に着脱自在に設けられていることを特徴とする請求項１〜５の何れか１項に記載の紙粉除去装置。
【請求項７】
請求項１〜６の何れか１項に記載の紙粉除去装置を備えたことを特徴とする画像形成装置。
【発明の詳細な説明】
【０００１】
【発明の属する技術分野】
本発明は、画像形成装置に係り、特に、レジストローラ表面に付着した紙粉を回収する紙粉除去装置に関する。
【０００２】
【従来の技術】
一般に画像形成装置では、給紙部から給紙された用紙は、用紙の搬送方向を規制する一対のガイド板により案内されながら、一対のレジストローラにより感光体ドラム等からなる画像形成部へと搬送される。
【０００３】
レジストローラには、表面に紙粉が付着することがある。レジストローラへの紙粉の付着は、レジストローラの摩擦係数を下げ、用紙の搬送力を低下させる。また、レジストローラに付着した紙粉が画像形成部にまで至ると異常画像を引き起こす。このため、レジストローラに付着した紙粉を除去することが可能な画像形成装置が提案されている（例えば、特許文献１参照）。
【０００４】
特許文献１に記載された画像形成装置には、異物回収容器、クリーニングブレード（スクレーパー）、スクイシート及びレジストローラ表面により密閉された異物回収空間を形成し、レジストローラから回収した紙粉を異物回収容器内部に蓄積する異物回収容器が設けられている。
【０００５】
【特許文献１】
特開平０７−２５５０３号公報（第４頁、図２）
【０００６】
【発明が解決しようとする課題】
本発明者らは鋭意検討の結果、特許文献１に記載された異物回収容器においては、レジストローラ表面に付着した紙粉を除去しきれないことを知見した。すなわち、特許文献１に記載された異物回収容器では、レジストローラの回転方向上流側に設けられたスクイシートとレジストローラ表面との当接部において、レジストローラ表面に付着した繊維状の紙粉が塞き止められ、塊状となって堆積することが明らかとなった。
【０００７】
本発明は、このような問題に鑑みなされたものであり、レジストローラ表面に付着した紙粉を確実に回収可能な紙粉除去装置を提供することを課題とする。
【０００８】
【課題を解決するための手段】
前記目的を達成するために、請求項１記載の発明は、画像形成部に用紙を搬送するレジストローラを有する画像形成装置に備えられ、前記レジストローラに付着した紙粉を除去する紙粉除去装置であって、前記レジストローラ表面に臨む開口部を有する紙粉回収ケースと、前記開口部の前記レジストローラ回転方向の下流側端部に設けられ、前記レジストローラ表面と当接するクリーニングブレードと、前記開口部の前記レジストローラ回転方向の上流側端部に設けられ、前記レジストローラ表面との間に前記紙粉と接触しない所定の間隔を有するシールド部材と、を備えることを特徴とする紙粉除去装置である。
【０００９】
請求項２に記載の発明は、請求項１記載の紙粉除去装置において、前記シールド部材と前記レジストローラ表面との間の所定の間隔が０．１〜０．３ｍｍであることを特徴としている。
【００１０】
請求項３に記載の発明は、請求項１又は２に記載の紙粉除去装置において、前記画像形成装置は、用紙搬送路に沿って前記レジストローラに前記用紙を案内するとともに、前記用紙を搬送する通常状態と前記用紙搬送路を開放する開放状態との間で前記レジストローラの回転軸に揺動可能に軸支されたガイド部材を更に備え、前記ガイド部材に前記紙粉回収ケースが設置されていることを特徴としている。
【００１１】
請求項４に記載の発明は、請求項１〜３の何れか１項に記載の紙粉除去装置において、前記紙粉回収ケースは、前記開口部より奥側に紙粉蓄積部を有し、前記紙粉蓄積部は、前記開口部のレジストローラ回転方向の下流側端部から内向きに延出する紙粉逆流防止部材により前記開口部側と画成されており、前記紙粉逆流防止部材の先端と前記紙粉回収ケースの内壁面の対向面との間には所定の間隙が設けられていることを特徴としている。
【００１２】
請求項５に記載の発明は、請求項４に記載の紙粉除去装置において、前記紙粉逆流防止部材に前記所定の間隙を開閉するシート状の逆止弁が設けられていることを特徴としている。
請求項６に記載の発明は、請求項１〜５の何れか１項に記載の紙粉除去装置において、前記紙粉回収ケースは前記画像形成装置に着脱自在に設けられていることを特徴としている。
請求項７に記載の発明は、請求項１〜６の何れか１項に記載の紙粉除去装置を備えたことを特徴とする画像形成装置である。
【００１３】
【発明の実施の形態】
本発明の実施形態を、適宜添付図面を参照して説明する。
【００１４】
［実施形態１］
図１は、本実施形態の紙粉除去装置が備えられる画像形成装置の概略図であり、図２は、図１におけるレジストローラ１１ａ，１１ｂ付近の要部拡大断面図である。
図１において、１は画像形成装置本体であり、該装置本体内には感光体ドラム３が設けられ、周知の電子写真プロセスに基づいて画像形成を行う画像形成部２が設けられている。この画像形成部２の下方には、転写用の用紙を給紙する２段に構成された給紙カセットを有する給紙部４が設けられている。５は手差し給紙部であり、６は両面印刷時に用紙の表裏を反転する両面ユニットである。
【００１５】
画像形成装置本体１において、給紙部４もしくは手差し給紙部５から給紙された用紙は、搬送ローラ１０を介してガイド板２０，２１により形成される用紙搬送路５０を搬送され一対のレジストローラ１１ａ，１１ｂに送られる。そして、用紙は、レジストローラ１１ａ，１１ｂによって画像形成部２で形成されるトナー像と作像タイミングを合わせて転写部（図示せず）に搬送される。転写部には、転写ベルト７が設けられており、転写部に送られた用紙には未定着トナー像が転写される。未定着トナー像が転写された用紙は、転写ベルト７の走行によって更に上方へ搬送され、定着ローラ対８に挟持される。定着ローラ対８によって搬送される用紙に、加熱及び加圧の作用により未定着トナー像が永久画像として定着され、用紙は更に上方に搬送される。
【００１６】
定着ローラ対８の上方には、シートの搬送先を排紙部９か両面ユニット６か選択的に切り換える切り換え爪１２が配置されている。この切り換え爪１２は、実線で示す位置にある時、用紙を排紙部９に導き、鎖線で示す位置にあるときは用紙を両面ユニット６へ案内する。
【００１７】
両面ユニット６は、入り口近くに反転爪１３が配置され、該反転爪１３に続いて反転ローラ１４が設けられている。前記の切り換え爪１２によって両面ユニット６に搬送された用紙は、反転爪１３が当初実線の位置にあるので反転ローラ１４によってスイッチバック路１５に送られる。そして、用紙の後端が反転爪１３を抜けると、該爪１３が鎖線の位置に切り替わるとともに、反転ローラ１４が逆回転を始める。この切り換えによって、用紙は後端が先頭となって両面ユニット搬送路１６を通り、再びレジストローラ１１ａ，１１ｂに送られ、この時用紙は表裏が反転されているので、裏面に画像が形成される。
【００１８】
Ｅは、紙粉除去装置であり（図２参照）、レジストローラ１１ｂの表面に臨む開口部５１を有する紙粉回収ケース４４と、開口部５１のレジストローラ１１ｂの回転方向（図２矢印）の下流側端部４４ａに設けられ、レジストローラ１１ｂの表面と当接するクリーニングブレード４２と、開口部５１のレジストローラ１１ｂの回転方向（図２矢印）の上流側端部４４ｂに設けられ、レジストローラ１１ｂの表面との間に紙粉Ｐと接触しない所定の間隔ｔを有するシールド部材４５と、を備えている。
【００１９】
クリーニングブレード４２は板状の部材であり、その先端部は、クリーニングブレード４２の有する弾性力によりレジストローラ１１ｂの表面に押圧されている。クリーニングブレード４２の先端部は、レジストローラ１１ｂの表面から紙粉Ｐを掻き落とす刃として機能する。クリーニングブレード４２はレジストローラ１１ｂの回転を妨げず、レジストローラ１１ｂの表面に付着した紙粉Ｐを掻き落とすことができるような弾性を有する樹脂材料であることが好ましく、厚さが０．１〜０．３ｍｍのポリエステル製フィルムが特に好適である。
【００２０】
シールド部材４５は、板状の部材である。シールド部材４５は温度変化等による体積変化が少なく、レジストローラ１１ｂの表面との間の所定の間隔ｔを一定に保つことができれば、特に材質に制限はないが、例えば、厚さが０．１〜０．３ｍｍのポリエステル製フィルムを用いることが可能である。
【００２１】
また、所定の間隔ｔの大きさは、レジストローラ１１ｂ表面に付着した紙粉Ｐ（特に繊維状紙粉）とシールド部材４５とが接触せず、かつ、紙粉回収ケース４４内部に回収された紙粉が飛散しないような大きさであることが好ましい。具体的には所定の間隔ｔは０．１〜０．３ｍｍであることが好ましい。所定の間隔ｔが０．１ｍｍ未満であると、レジストローラ１１ｂ表面に付着した紙粉Ｐ（特に繊維状紙粉）がシールド部材４５と接触して塞き止められてしまう場合があるため好ましくなく、所定の間隔ｔが０．３ｍｍよりも大きいと紙粉回収ケース４４内部に回収された紙粉Ｐの間隔ｔを介した飛散量が大きくなるため好ましくない。
【００２２】
紙粉回収ケース４４は、クリーニングブレード４２による紙粉Ｐの掻き落としの際に飛び散る紙粉Ｐの装置内部への飛散、及び、紙粉回収ケース４４内部に蓄積された紙粉Ｐの装置内部への飛散、を抑制するために、開口部５１以外は閉鎖されている。
【００２３】
紙粉回収ケース４４は、開口部５１より奥側に紙粉蓄積部４４ｃを有している。つまり、紙粉蓄積部４４ｃは、紙粉回収ケース４４において、クリーニングブレード４２とレジストローラ１１ｂとの当接部よりも下方に延出している。紙粉回収ケース４４は、画像形成装置本体１に着脱自在に設けられている。
【００２４】
続いて、紙粉除去装置Ｅの動作について説明する。用紙の搬送に伴いレジストローラ１１ｂの表面には紙粉Ｐが付着する。この紙粉Ｐは、レジストローラ１１ｂの回転（図２矢印）に伴い紙粉除去装置Ｅへと導かれる。ここで、シールド部材４５とレジストローラ１１ｂとは当接しておらず、両者の間には所定の間隔ｔが空けられているために、レジストローラ１１ｂの表面に付着した紙粉Ｐは、シールド部材４５と接触することなく、紙粉回収ケース４４内部に進行してクリーニングブレード４２に至る。
【００２５】
クリーニングブレード４２の先端部はレジストローラ１１ｂの表面に押圧されているので、レジストローラ１１ｂの表面に付着した紙粉Ｐは、クリーニングブレード４２の先端部により掻き取られることで回収される。回収された紙粉Ｐは自重により紙粉回収ケース４４内部を落下して、紙粉蓄積部４４ｃに蓄積される。
【００２６】
このように、紙粉除去装置Ｅによれば、レジストローラ１１ｂの回転方向上流側に配置されたシールド部材４５とレジストローラ１１ｂの表面との間に所定の間隔ｔが設けられているので、シールド部材４５によりレジストローラ１１ｂの表面に付着した紙粉Ｐが塞き止められることを抑制できる。また、レジストローラ１１ｂの回転方向下流側に配置されたクリーニングブレード４２により、レジストローラ１１ｂの表面に付着した紙粉Ｐが確実に除去できる。さらに、クリーニングブレード４２により除去された紙粉Ｐは、紙粉回収ケース４４に回収されるので、回収された紙粉Ｐの飛散が抑制される。
【００２７】
また、シールド部材４５とレジストローラ１１ｂとの間隔ｔを０．１〜０．３ｍｍとしているので、レジストローラ１１ｂの表面に付着した繊維状紙粉がシールド部材４５の付近に堆積することを抑制することができる。また、シールド部材４５とレジストローラ１１ｂとの間隔ｔは僅かであるので、一旦紙粉回収ケース４４内部に回収された紙粉Ｐがこの間隔ｔを通じて飛散することを抑制することができる。
【００２８】
また、紙粉蓄積部４４ｃをクリーニングブレード４２とレジストローラ１１ｂとの当接部よりも下方に延出して設けることにより、レジストローラ１１ｂから回収された紙粉Ｐは、自重により紙粉蓄積部４４ｃの下端部から徐々に蓄積される。これにより、紙粉Ｐ同士が結合して、飛散し難い塊状紙粉が形成されるので、一旦回収された紙粉Ｐの飛散を抑制することができる。
【００２９】
さらに、紙粉回収ケース４４を画像形成装置本体１に着脱自在に設けたので、紙粉回収ケース４４の内部に蓄積した紙粉Ｐを適宜廃棄することができる。
【００３０】
［実施形態２］
図３は、図１におけるレジストローラ１１ａ，１１ｂ及び用紙搬送路５０付近の拡大断面図であり、図４は、図３において用紙搬送路５０が開放された状態を示す拡大断面図であり、図５は、図３の要部拡大断面図であり、図６は、図４の要部拡大断面図である。
【００３１】
図１に示した画像形成装置では、用紙搬送中にジャム（用紙詰まり）が発生することがある。そのため画像形成装置本体１は、如何なる場所でジャムが発生しても、ユーザが容易に詰まった用紙を除去できるように構成されている。以下、レジストローラ１１ａ，１１ｂの近傍で発生したジャムを解消するジャム解消機構について図３、図４を参照して概説する。
【００３２】
給紙部４や手差し給紙部５または両面ユニット６から搬送される用紙はガイド板２０，２１により形成される用紙搬送路５０に沿って案内されてレジストローラ１１ａ，１１ｂに導かれる。
【００３３】
以下、ガイド板２０を「固定ガイド板２０」と、ガイド板２１を「揺動ガイド板２１」とそれぞれ称することとする。
【００３４】
揺動ガイド板２１はレジストローラ１１ｂの回転軸２２に揺動可能に装着されている。揺動ガイド板２１の用紙案内面の反対側には画像形成装置本体１のカバー２３が設けられ、カバー２３は支軸２４を介して画像形成装置本体１に回動可能に装着されている。カバー２３には、その回転量を規制する規制部材としての第１及び第２規制リンク２５，２６が設けられ、第１規制リンク２５の一端は軸２７を介してカバー２３に回転可能に装着され、他端はピン２８を介して第２規制リンク２６の一端と連結されている。また、第２規制リンク２６の他端は軸２９を介して画像形成装置本体１の機枠に軸支されている。
【００３５】
揺動ガイド板２１とカバー２３とは、連結手段としてのリンク部材３０を介して連結されている。リンク部材３０は揺動ガイド板２１と第２規制リンク２６との間に設けられている。リンク部材３０の一端には揺動ガイド板２１との連結部において長孔３１が形成され、この長孔３１に揺動ガイド板２１に設けられたピン３２が移動可能に係合されている。リンク部材３０の他端は軸３３を介して第２規制リンク２６と係合されている。
【００３６】
ジャム解消機構において、カバー２３が閉じられた状態においては、揺動ガイド板２１は固定ガイド板２０と対向し、両ガイド板２０，２１の間にはレジストローラ１１ａ，１１ｂに向かって間隔が狭くなる用紙搬送路５０が形成された状態（通常状態）となる（図３）。
【００３７】
一方、カバー２３が軸２４を中心として時計方向に回動して開くと、第１規制リンク２５を介して第２規制リンク２６が軸２９を中心として反時計方向に回動されることによって、リンク部材３０が引っ張られ、ほぼ長孔３１の長さ分だけ移動すると、揺動ガイド板２１が軸２２を中心に反時計方向に回動される。つまり、カバー２３を開くと揺動ガイド板２１は反時計方向に回動するので、用紙搬送路５０は開放された状態（開放状態）となる（図４）。
【００３８】
このように、ジャム解消機構において、揺動ガイド板２１の通常状態では、用紙を用紙搬送路５０に沿ってレジストローラ１１ａ，１１ｂに搬送することが可能である。また、揺動ガイド板２１の開放状態では、レジストローラ１１ａ，１１ｂ付近に詰まった用紙を容易に除去することが可能である。
【００３９】
前記した揺動ガイド板２１の用紙案内面の反対面には、紙粉除去装置Ｅが着脱自在に配置されている。以下、実施形態１の紙粉除去装置Ｅとの差異を中心に図５、図６を参照して説明する。
【００４０】
紙粉除去装置Ｅは、前記開口部５１より奥側に紙粉蓄積部４４ｃを有し、開口部５１のレジストローラ１１ｂ回転方向の下流側端部４４ａから内向きに延出する紙粉逆流防止板４３ａにより開口部５１側と画成されている。言い換えれば、紙粉逆流防止板４３ａは、開口部５１のレジストローラ１１ｂ回転方向の下流側端部４４ａから延出する紙粉回収ケース４４の内壁面から紙粉回収ケース４４の内部に突出している。紙粉逆流防止板４３ａの先端と紙粉回収ケース４４の内壁面の対向面との間には所定の間隙ｄが設けられている。また、紙粉回収ケース４４には、紙粉除去装置Ｅを着脱する際に取っ手として用いるレバー４１が設けられている。
【００４１】
紙粉逆流防止板４３ａは、開口部５１の下流側端部４４ａに連続して設けられている。紙粉逆流防止板４３ａの設置位置は、紙粉Ｐを円滑に紙粉蓄積部４４ｃに回収でき、揺動ガイド板２１が開放状態に存在する際に、紙粉Ｐの逆流を抑制することができる位置であれば、下流側端部４４ａに限られない。例えば、開口部５１の下流側端部４４ａから延出する紙粉回収ケース４４の内壁面に紙粉逆流防止板４３ａを設置することが可能である。
【００４２】
また、紙粉逆流防止板４３ａは、揺動ガイド板２１が図５に示すような通常状態にある場合に、円滑に紙粉Ｐを紙粉蓄積部４４ｃへと導くことができるように、斜め下向きに傾斜するように紙粉回収ケース４４の内壁面から突出している。
【００４３】
また、所定の間隙ｄは、この間隙ｄを通じて紙粉Ｐが紙粉蓄積部４４ｃに円滑に入り込むことができるように１ｍｍ以上の大きさであることが好ましい。
【００４４】
続いて、紙粉除去装置Ｅの動作について説明する。紙粉除去装置Ｅは、揺動ガイド板２１が図５に示すような通常状態にある場合には、実施形態１と同様に、レジストローラ１１ｂの表面に付着した紙粉Ｐを掻き落とす。掻き落とされた紙粉Ｐは、紙粉逆流防止板４３ａが斜め下向きに傾斜しているので、自重によりこの傾斜面を落下して所定の間隙ｄを通じて紙粉蓄積部４４ｃに至り、蓄積される。
【００４５】
レジストローラ１１ａ，１１ｂ付近で発生したジャムを解消するために、揺動ガイド板２１が図６に示すような開放状態となると、揺動ガイド板２１に配置された紙粉除去装置Ｅの上下が逆転し、紙粉蓄積部４４ｃが開口部５１よりも上方へと移動する。その結果、紙粉蓄積部４４ｃに蓄積されている紙粉Ｐは、自重により開口部５１に向かって落下する。しかし、本実施形態においては、落下してきた紙粉Ｐは、紙粉逆流防止板４３ａにより塞き止められるので、開口部５１への紙粉Ｐの逆流を抑制できる。
【００４６】
尚、実施形態２及び実施形態３においては、特許請求の範囲で言うところの「ガイド部材」が揺動ガイド板２１を、「紙粉逆流防止部材」が紙粉逆流防止板４３ａを、それぞれ示している。
【００４７】
このように、紙粉除去装置Ｅは、揺動ガイド板２１を通常状態とすることで用紙搬送路５０が形成され、用紙の搬送を行うことができる。一方、揺動ガイド板２１を開放状態とすることで用紙搬送路５０が開放され、レジストローラ１１ａ，１１ｂ付近でジャムが発生した際にユーザが容易に詰まった用紙を除去することができる。また、この揺動ガイド板２１に紙粉除去装置Ｅを配置することで、レジストローラ１１ａ，１１ｂ付近における空間利用効率が高まるとともに、画像形成装置を構成する部品点数を削減することができる。
【００４８】
さらに、紙粉回収ケース４４には、レバー４１が設けられているので、紙粉回収ケース４４を揺動ガイド板２１に容易に着脱することができ、内部に蓄積した紙粉Ｐを適宜廃棄することができる。
【００４９】
［実施形態３］
図７は、用紙搬送路５０付近の要部拡大断面図であり、図８は、用紙搬送路５０が開放された状態を示す要部拡大断面図である。
【００５０】
紙粉除去装置Ｅにおいては、紙粉逆流防止板４３ａに間隙ｄを開閉するシート状の逆止弁４６が設けられた点が実施形態２と異なっている。この逆止弁４６は、弾性を有する薄い樹脂シート等からなり、揺動ガイド板２１が通常状態にある場合には、図７に示すように自重で撓むことで開口部５１から紙粉蓄積部４４ｃに至る間隙ｄを開放する。そして、揺動ガイド板２１が開放状態にある場合には、図８で示すように撓みが無くなり起立し、紙粉蓄積部４４ｃから開口部５１へと至る間隙ｄを遮断する。
【００５１】
これにより、紙粉逆流防止板４３ａに設けた逆止弁４６が、揺動ガイド板２１が開放状態となった際に、間隙ｄを介した紙粉Ｐの逆流を防止するので、実施形態２よりもさらに効果的に紙粉Ｐの逆流を抑制することができる。
【００５２】
【発明の効果】
請求項１〜６に記載の発明によれば、紙粉除去装置によって、レジストローラ表面に付着した繊維状紙粉を含む紙粉を確実に回収することができる。
【００５３】
請求項７に記載の発明によれば、請求項１〜６に記載の紙粉除去装置を備えた画像形成装置を提供することができる。
【図面の簡単な説明】
【図１】本発明の実施形態１における画像形成装置の全体概略図である。
【図２】同上のレジストローラ付近の要部拡大断面図である。
【図３】実施形態２におけるレジストローラ及び用紙搬送路付近の要部断面図である。
【図４】同上の用紙搬送路が開放された状態を示す断面図である。
【図５】図３の要部拡大断面図である。
【図６】図４の要部拡大断面図である。
【図７】実施形態３における用紙搬送路付近の要部拡大断面図である。
【図８】同上の用紙搬送路が開放された状態を示す要部拡大断面図である。
【符号の説明】
１１ａ，１１ｂ  レジストローラ
２０  固定ガイド板
２１  揺動ガイド板（ガイド部材）
４２  クリーニングブレード
４３ａ  紙粉逆流防止板（紙粉逆流防止部材）
４４  紙粉回収ケース
４４ａ  下流側端部
４４ｂ  上流側端部
４４ｃ  紙粉蓄積部
４５  シールド部材
４６  逆止弁
５０  用紙搬送路
５１  開口部
ｔ  間隔
ｄ  間隙
【図１】
2004323144.tif 000003
【図２】
2004323144.tif 000004
【図３】
2004323144.tif 000005
【図４】
2004323144.tif 000006
【図５】
2004323144.tif 000007
【図６】
2004323144.tif 000008
【図７】
2004323144.tif 000009
【図８】
2004323144.tif 000010